(57)【特許請求の範囲】
【請求項１】
紙幣を出金するための出金部を備える紙幣取扱装置であって、
前記出金部は、
前記紙幣の少なくとも前方側の一部が載置される底部と、
前記底部の左右両端に位置する一対の側壁と、
前記底部の前端に位置する前壁と、
前記底部の上方に位置するカバーと、を有し、
前記出金部の前端には、少なくとも前記底部及び前記前壁に亘って切り欠きが設けられ、
前記カバーは、回動して前端側から開くように開閉可能に配置されている、
ことを特徴とする紙幣取扱装置。
【請求項２】
前記底部の上面のうち少なくとも前記切り欠きを挟んだ左右両側は、前記切り欠きに近づくほど高さが低くなっていることを特徴とする請求項１記載の紙幣取扱装置。
【請求項３】
前記切り欠きは、前記底部、前記前壁、及び前記カバーに亘って設けられていることを特徴とする請求項１又は２記載の紙幣取扱装置。
【請求項４】
前記カバーの前記切り欠き内の後面及び側面のうち少なくとも一方は、下方にいくほど平面視における開口面積が狭まるように傾斜又は湾曲していることを特徴とする請求項３記載の紙幣取扱装置。
【請求項５】
前記出金部における前記紙幣の出金位置よりも上方の入金位置から前記紙幣が入金される入金部を更に備え、
前記入金部は、前記紙幣の底面をガイドするガイド面を含む底面ガイドを有し、
前記カバーの少なくとも一部は、前記底面ガイドの前方に位置する、
ことを特徴とする請求項１から４のいずれか１項記載の紙幣取扱装置。
【請求項６】
前記カバーの上面は、前記底面ガイドの前記ガイド面と連続するように形成されていることを特徴とする請求項５記載の紙幣取扱装置。
【請求項７】
前記底面ガイドは、前記底部の上面に向けて光を照射する光照射部を更に含み、
前記カバーは、前記光照射部によって照射され前記底部又は当該底部に載置された前記紙幣において反射した光を透過する、
ことを特徴とする請求項５又は６記載の紙幣取扱装置。
【発明の詳細な説明】
【技術分野】
【０００１】
本発明は、紙幣を出金するための出金部を備える紙幣取扱装置に関する。
【背景技術】
【０００２】
従来、顧客が出金部に出金された紙幣をつまんで取り出しやすくするために、顧客の指を挿入するための切り欠きが出金部に設けられた紙幣取扱装置が提案されている（例えば、特許文献１〜３参照）。
【先行技術文献】
【特許文献】
【０００３】
【特許文献１】特開２０１０−２６７１７８号公報
【特許文献２】特許第５３３５８７７号公報
【特許文献３】特許第４８４９３９４号公報
【発明の概要】
【発明が解決しようとする課題】
【０００４】
ところで、出金部に出金される紙幣は、特にカールが生じている場合に、所望の出金位置に正確に出金されないことがある。このように、所望の出金位置に紙幣が出金されないと、上述のように紙幣を指でつまむための切り欠きが設けられた出金部であっても、顧客が紙幣を取り出するのが困難になる。【０００５】
本発明の目的は、このような点に鑑みてなされたものであり、出金部に出金された紙幣を顧客が取り出しやすくすることができる紙幣取扱装置を提供することである。
【課題を解決するための手段】
【０００６】
１つの態様では、紙幣取扱装置は、紙幣を出金するための出金部を備える紙幣取扱装置であって、前記出金部は、前記紙幣の少なくとも前方側の一部が載置される底部と、前記底部の左右両端に位置する一対の側壁と、前記底部の前端に位置する前壁と、前記底部の上方に位置するカバーと、を有し、前記出金部の前端には、少なくとも前記底部及び前記前壁に亘って切り欠きが設けられ、前記カバーは、回動して前端側から開くように開閉可能に配置されている。
【発明の効果】
【０００７】
前記態様によれば、出金部に出金された紙幣を顧客が取り出しやすくすることができる。
【図面の簡単な説明】
【０００８】
【図１】紙幣取扱装置を示す左側面図である。
【図２Ａ】トップモジュール及び取り込み兼リサイクルモジュールの内部構造を示す斜視図（その１）である。
【図２Ｂ】トップモジュール及び取り込み兼リサイクルモジュールの内部構造を示す斜視図（その２）である。
【図３Ａ】カバーが閉じた状態の出金部及び入金部を示す斜視図である。
【図３Ｂ】カバーが開いた状態の出金部及び入金部を示す斜視図である。
【図４】出金部及び入金部を示す平面図である。
【図５】図４のＶ−Ｖ断面図である。
【図６】図４のＶＩ−ＶＩ断面図である。
【図７】図４のＶＩＩ−ＶＩＩ断面図である。
【発明を実施するための形態】
【０００９】
以下、本発明の一実施の形態に係る紙幣取扱装置について、図面を参照しながら説明する。
【００１０】
図１は、紙幣取扱装置１を示す左側面図である。
図２Ａ及び図２Ｂは、紙幣取扱装置１のトップモジュールＭ１及び取り込み兼リサイクルモジュールＭ２の内部構造を示す斜視図である。
【００１１】
なお、図１〜図２Ｂ、並びに、後述する図３Ａ〜図７には、説明の便宜上、前後方向、左右方向、及び上下方向を図示する。一例ではあるが、前後左右の方向は水平方向であり、上下の方向は鉛直方向である。
【００１２】
図１に示すように、紙幣取扱装置１は、上から順に、トップモジュールＭ１、取り込み兼リサイクルモジュールＭ２、リサイクルモジュールＭ３，Ｍ４、補充モジュールＭ５、及び回収モジュールＭ６を備える。
【００１３】
トップモジュールＭ１には、図２Ａに示す入金位置Ｐ１における紙幣Ｂを入金するための入金部２０と、図２Ｂに示す出金位置Ｐ２における紙幣Ｂを出金するための出金部１０とが前方に突出するように前端に設けられている。また、トップモジュールＭ１には、出金位置Ｐ２における紙幣Ｂの後方側の一部が載置されるステージ４０を介して出金部１０に紙幣Ｂを搬送する出金搬送部５０などの搬送部、及び紙幣Ｂを鑑別する鑑別部が配置されている。
【００１４】
取り込み兼リサイクルモジュールＭ２には、取り込み収容部Ｍ２ａと、この取り込み収容部Ｍ２ａに紙幣Ｂを搬送する取り込み搬送部６０と、が配置されている。この取り込み搬送部６０は、顧客が出金部１０に出金された紙幣Ｂを取り忘れて、この紙幣Ｂの残留が検知された場合に、この残留する紙幣Ｂを取り込み収容部Ｍ２ａに搬送する。
【００１５】
また、図２Ａに示すように、取り込み兼リサイクルモジュールＭ２には、ステージ４０における紙幣Ｂの取り込み収容部Ｍ２ａへの搬送経路を遮断する遮断位置と、この遮断位置から退避した退避位置とに移動するゲート７０が配置されている。また、図２Ｂに示すように、ステージ４０の上方には、取り込み搬送部６０によって搬送される紙幣Ｂを上方から押圧して保持する押圧部８０が配置されている。
【００１６】
取り込み兼リサイクルモジュールＭ２の取り込み収容部Ｍ２ａの後方、並びに、リサイクルモジュールＭ３，Ｍ４の前部及び後部のそれぞれには、例えば紙幣をフィルムで挟んで巻き付けて収容する図示しないリサイクル紙幣収容部が配置されている。
【００１７】
補充モジュールＭ５は、出金用に利用される紙幣Ｂを収容する。回収モジュールＭ６は、入金された紙幣Ｂのうちリサイクルされない紙幣Ｂを収容する。
【００１８】
図３Ａは、カバー１５が閉じた状態の出金部１０及び入金部２０を示す斜視図である。図３Ｂは、カバー１５が開いた状態の出金部１０及び入金部２０を示す斜視図である。
【００１９】
図４は、出金部１０及び入金部２０を示す平面図である。
図５、図６、及び図７は、図４のＶ−Ｖ断面図、ＶＩ−ＶＩ断面図、及びＶＩＩ−ＶＩＩ断面図である。
【００２０】
図３Ａ及び図３Ｂに示すように、出金部１０は、底部１１と、一対の側壁１２，１３と、前壁１４と、カバー１５と、回動軸部１６，１７と、を有する。底部１１、一対の側壁１２，１３、前壁１４、及びカバー１５は、紙幣Ｂの前方側の一部（図２Ｂ参照）を収容する集積部として機能する。なお、出金部１０のうち、底部１１、一対の側壁１２，１３、前壁１４、及び回動軸部１６，１７は、一体に形成されている。
【００２１】
出金部１０の前端には、底部１１、前壁１４、及びカバー１５に亘って切り欠き１１ａ，１４ａ，１５ａが設けられている。例えば、切り欠き１１ａ，１４ａ，１５ａは、底部１１、前壁１４、及びカバー１５の左右方向の中央に設けられている。
【００２２】
切り欠き１１ａ，１４ａ，１５ａの左右方向の幅は、図５に示すように紙幣Ｂを上下から指Ｆでつまむことができるように、例えば２ｃｍ以上で且つ紙幣Ｂの幅よりも狭く形成されているとよい。なお、カバー１５に切り欠き１５ａが設けられずに、底部１１及び前壁１４のみに切り欠き１１ａ，１４ａが設けられていてもよい。
【００２３】
底部１１には、紙幣Ｂの少なくとも前方側の一部が載置される。図３Ｂ及び図６に示すように、底部１１の上面１１ｂは、切り欠き１１ａを挟んだ左右両側が切り欠き１１ａに近づくほど高さが低くなっている。例えば、上面１１ｂのうち切り欠き１１ａの左側は、全体に亘って、右側にかけて高さが低くなっており、上面１１ｂのうち切り欠き１１ａの右側は、全体に亘って、左側にかけて高さが低くなっている。また、図３Ｂ、図６、及び図７に示すように、底部１１の上面１１ｂは、切り欠き１１ａの左右両側では、前方にいくほど高さが低くなっている。
【００２４】
そのため、図３Ｂに示すように、硬貨Ｃ等の異物は、上面１１ｂのうち切り欠き１１ａを挟んだ左右両側のどちらかに落下するか又は載置されると、切り欠き１１ａに向けてガイドされ、切り欠き１１ａから出金部１０の下方に落下する。
【００２５】
なお、図３Ｂ及び図５に示すように、底部１１の上面１１ｂは、切り欠き１１ａの後端よりも後側では、後方にいくほど高さが低くなっている。底部１１の上面１１ｂには、切り欠き１１ａの後端よりも後側において、上方にわずかに突出し、前後方向に延びるガイド突起１１ｂ−１が例えば７本、互いに間隔を隔てて配置されている。
【００２６】
一対の側壁１２，１３のうち左側の側壁１２は、底部１１の左端に位置し、右側の側壁１３は、底部１１の右端に位置する。また、前壁１４は、底部１１の前端に位置する。
【００２７】
カバー１５は、底部１１の上方に位置する。図３Ａ及び図４〜図７に示すように、カバー１５の切り欠き１５ａ内の後面１５ａ−１及び左右の側面１５ａ−２，１５ａ−３は、下方にいくほど平面視（図４参照）における開口面積が狭まるように傾斜又は湾曲している。また、図５に示すように、底部１１の切り欠き１１ａは、カバー１５の切り欠き１５ａの下端よりも後方に亘って設けられている。
【００２８】
そのため、上述の硬貨Ｃ等の異物は、カバー１５上に落下するか又は載置されると、カバー１５の切り欠き１５ａを通って底部１１の切り欠き１１ａから出金部１０の下方に落下する。
【００２９】
また、図５〜図７に示すように、カバー１５の切り欠き１５ａの後面１５ａ−１は、下方にいくほど左右方向の中心が左右両側よりも下方に窪むように湾曲している。
【００３０】
なお、カバー１５の切り欠き１５ａの後面１５ａ−１と左右の側面１５ａ−２，１５ａ−３とのうち両方ではなく一方のみが、下方にいくほど平面視における開口面積が狭まるように傾斜又は湾曲していてもよい。或いは、カバー１５の切り欠き１５ａは、上下方向の位置に関わらず平面視における開口面積が同一となっていてもよい。
【００３１】
図４に示すように、カバー１５の切り欠き１５ａの下端は、底部１１の切り欠き１１ａよりも左右方向の幅がわずかに広い。但し、これらの幅は同一であっても底部１１の切り欠き１１ａの方が広くともよいが、硬貨Ｃ等の異物がカバー１５の上面１５ｄに落下するか又は載置された場合でも、上述のように、カバー１５の切り欠き１５ａを通って及び底部１１の切り欠き１１ａから出金部１０の下方に落下するように切り欠き１５ａ，１１ａが形成されていることが望ましい。
【００３２】
図３Ａ及び図４に示すように、カバー１５には、左右両端から後方に延びるアーム部１５ｂ，１５ｃが設けられている。左側のアーム部１５ｂには、左側に突出する回動軸部１６が例えば一体に設けられている。また、右側のアーム部１５ｃには、右側に突出する回動軸部１７が例えば一体に設けられている。
【００３３】
左側の回動軸部１６は、左側の側壁１２に回動自在に挿入され、右側の回動軸部１７は、右側の側壁１３に回動自在に挿入される。これにより、図３Ｂに示すように、カバー１５は、回動軸部１６，１７を回動中心として回動して前端側から開くように開閉可能に配置されている。そのため、図５に示すように、顧客は、出金位置Ｐ２における紙幣Ｂを上下から指Ｆでつまんで、つまんだ紙幣Ｂによってカバー１５の前端側を持ち上げることで、カバー１５を回動させて開かせ、紙幣Ｂを取り出すことができる。
【００３４】
なお、カバー１５は、図３Ａに示す閉じた状態では、底部１１、一対の側壁１２，１３、及び前壁１４とともに、切り欠き１１ａ，１４ａ，１５ａを除く部分で出金部１０の内部空間を覆っていることが望ましい。これにより、図５に示すように、紙幣Ｂ−１の前方への飛び出しを前壁１４が規制したり、或いは、上下方向にカールが生じた紙幣Ｂ−２の上方への飛び出しをカバー１５が規制したりすることができる。
【００３５】
入金部２０には、出金部１０における紙幣Ｂの出金位置Ｐ２（図２Ｂ参照）よりも上方の入金位置Ｐ１（図２Ａ参照）から紙幣Ｂが入金される。図３Ａ〜図５に示すように、入金部２０は、底面ガイド２１を有する。この底面ガイド２１の上面は、紙幣Ｂの底面をガイドするガイド面２１ａである。
【００３６】
また、入金部２０は、紙幣Ｂの左右側面をガイドする側面ガイド２２，２３を有する。この側面ガイド２２，２３は、底面ガイド２１の左端及び右端に位置する。また、側面ガイド２２，２３は、図１〜図２Ｂに示すトップモジュールＭ１に出金部１０及び入金部２０を取り付けるための枠部材３０から前方に突出する。側面ガイド２２，２３は、枠部材３０と一体に設けられているとよい。
【００３７】
なお、出金部１０（又は入金部２０）が入金部２０（又は出金部１０）や枠部材３０やトップモジュールＭ１とは別体である場合、紙幣取扱装置１のデザインを変更するために、或いは、国ごとに異なる紙幣Ｂのサイズの違いに対応するために、出金部１０（又は入金部２０）を、形状が異なるものに容易に交換することができる。
【００３８】
一例に過ぎないが、図４、図６、及び図７に示すように、出金部１０及び入金部２０の左右方向の中心は、枠部材３０の左右方向の中心よりも右側にシフトしている。
【００３９】
カバー１５は、アーム部１５ｂ，１５ｃを除く部分において底面ガイド２１の前方に位置する。また、カバー１５の上面１５ｄは、底面ガイド２１のガイド面２１ａと連続するように形成されている。例えば、図５に示すように、底面ガイド２１のガイド面２１ａは水平であり、カバー１５の上面１５ｄは、ガイド面２１ａの前端と連続する部分では水平であり、カバー１５の前端にかけて下方に湾曲している。また、カバー１５の切り欠き１５ａの後面１５ａ−１は、上端がガイド面２１ａの前端と同一位置にある。但し、カバー１５の切り欠き１５ａは、ガイド面２１ａの前端よりも前方に設けられていてもよい。
【００４０】
図３Ａ〜図４に示すように、底面ガイド２１のガイド面２１ａには、紙幣Ｂの入金位置Ｐ１（図２Ａ参照）を顧客に報知するためのランプである点灯部２１ａ−１が設けられている。この点灯部２１ａ−１は、ガイド面２１ａの左右方向の中心において前後方向のほぼ全体に亘る矩形部分、及びこの矩形部分を挟んだ左右両側において左右方向に延びる３本ずつの線状部分である。また、ガイド面２１ａには、上方にわずかに突出し、前後方向に延びるガイド突起２１ａ−２が例えば６本、互いに間隔を隔てて配置されている。
【００４１】
図５に示すように、底面ガイド２１の内部には、出金部１０の底部１１の上面１１ｂに向けて照射光Ｌ１を照射する例えばＬＥＤ光源である光照射部２１ｂが配置されている。この光照射部２１ｂは、例えば、紙幣Ｂの出金位置Ｐ２（図２Ｂ参照）を顧客に放置するために照射光Ｌ１を照射する。光照射部２１ｂによって照射された照射光Ｌ１は、底部１１の上面１１ｂ又はこの上面１１ｂに載置された紙幣Ｂにおいて反射する（反射光Ｌ２）。この反射光Ｌ２は、少なくともカバー１５の切り欠き１５ａの後面１５ａ−１を透過するとよい。そのため、カバー１５は、少なくとも一部が光透過性を有するとよい。
【００４２】
なお、カバー１５の切り欠き１５ａ内の後面１５ａ−１は、上述のように下方にいくほど、平面視における開口面積が狭まるように、すなわち前方に、傾斜又は湾曲している。そのため、顧客は、この後面１５ａ−１が反射光Ｌ２によって光ることで反射光Ｌ２を認識しやすくなる。なお、上述のように、カバー１５の切り欠き１５ａの後面１５ａ−１が、下方にいくほど左右方向の中心で左右両側よりも下方に窪むように湾曲しているため、後面１５ａ−１に反射光Ｌ２が集光することで顧客が反射光Ｌ２を認識しやすくなり得る。また、カバー１５のうち少なくとも一部（切り欠き１５ａよりも後方の部分）が半透明であると、透明である場合よりも、顧客が反射光Ｌ２を認識しやすくなり得る。
【００４３】
なお、出金部１０は、紙幣Ｂを出金するとき以外にカバー１５を閉じた状態にロックするロック機構を有してもよい。例えば、上述のように図２Ａ及び図２Ｂに示す取り込み搬送部６０が出金部１０に残留する紙幣Ｂを搬送するときには、出金部１０内の紙幣Ｂが顧客によって取り出されないように、或いは異物が進入しないように、カバー１５を閉じた状態にロックするとよい。
【００４４】
以上説明した本実施の形態では、紙幣取扱装置１は、紙幣Ｂを出金するための出金部１０を備える紙幣取扱装置１であって、出金部１０は、紙幣Ｂの少なくとも前方側の一部が載置される底部１１と、この底部１１の左右両端に位置する一対の側壁１２，１３と、底部１１の前端に位置する前壁１４と、底部１１の上方に位置するカバー１５と、を有する。出金部１０の前端には、少なくとも底部１１及び前壁１４に亘って切り欠き１１ａ，１４ａが設けられ、カバー１５は、回動して前端側から開くように開閉可能に配置されている。
【００４５】
そのため、出金部１０に出金される紙幣Ｂは、底部１１、一対の側壁１２，１３、前壁１４、及びカバー１５によって位置を規制される。これにより、図５に示すように前方に飛び出す紙幣Ｂ−１やカールが生じている紙幣Ｂ−２の出金部１０からの飛び出しや出金部１０における詰まりを防ぐことができる。そのため、紙幣Ｂを所望の出金位置Ｐ２に出金しやすくすることができる。また、少なくとも底部１１及び前壁１４に切り欠き１１ａ，１４ａが設けられていることで、顧客が指Ｆでつまんで紙幣Ｂを取り出すのが容易になる。
【００４６】
よって、本実施の形態によれば、出金部１０に出金された紙幣Ｂを顧客が取り出しやすくすることができる。
【００４７】
また、本実施の形態では、底部１１の上面１１ｂのうち少なくとも切り欠き１１ａを挟んだ左右両側は、切り欠き１１ａに近づくほど高さが低くなっている。そのため、図３Ｂに示す硬貨Ｃ等の異物を、切り欠き１１ａに向けてガイドし、切り欠き１１ａから出金部１０の下方に落下させることができる。
【００４８】
また、本実施の形態では、切り欠き１１ａ，１４ａ，１５ａは、底部１１、前壁１４、及びカバー１５に亘って設けられている。そのため、顧客は、カバー１５の上方及び底部１１の下方のそれぞれから指Ｆを切り欠き１１ａ，１４ａ，１５ａに挿入することができるため、紙幣Ｂをつまみやすくなる。したがって、顧客が紙幣Ｂをより一層取り出しやすくすることができる。
【００４９】
また、本実施の形態では、カバー１５の切り欠き１５ａ内の後面１５ａ−１及び側面１５ａ−２，１５ａ−３のうち少なくとも一方は、下方にいくほど平面視における開口面積が狭まるように傾斜又は湾曲している。そのため、硬貨Ｃ等の異物を、カバー１５の切り欠き１５ａを通して底部１１の切り欠き１１ａから出金部１０の下方に落下させることができる。更には、カバー１５が入金部２０の底面ガイド２１の前方に位置する場合には、顧客が入金部２０へ紙幣Ｂを挿入するのを容易にすることもできる。
【００５０】
また、本実施の形態では、紙幣取扱装置１は、出金部１０における紙幣Ｂの出金位置Ｐ２よりも上方の入金位置Ｐ１から紙幣Ｂが入金される入金部２０を更に備える。この入金部２０は、紙幣Ｂの底面をガイドするガイド面２１ａを含む底面ガイド２１を有し、カバー１５のうちアーム部１５ｂ，１５ｃを除く部分（カバー１５の少なくとも一部の一例）は、底面ガイド２１の前方に位置する。これにより、カバー１５が上面１５ｄ又は切り欠き１５ａにおいて、入金部２０へ挿入される紙幣Ｂをガイドすることができるため、顧客が入金部２０へ紙幣Ｂを挿入するのを容易にすることができる。
【００５１】
また、本実施の形態では、カバー１５の上面１５ｄは、底面ガイド２１のガイド面２１ａと連続するように形成されている。これにより、カバー１５の上面１５ｄが、入金部２０へ挿入される紙幣Ｂをガイドしやくなり、顧客が入金部２０へ紙幣Ｂを挿入するのをより一層容易にすることができる。
【００５２】
また、本実施の形態では、図５に示すように、底面ガイド２１は、底部１１の上面１１ｂに向けて光（照射光Ｌ１）を照射する光照射部２１ｂを更に含み、カバー１５は、光照射部２１ｂによって照射され底部１１又はこの底部１１に載置された紙幣Ｂにおいて反射した光（反射光Ｌ２）を透過する。これにより、顧客は、紙幣Ｂの出金位置Ｐ２を光照射部２１ｂに照射される照射光Ｌ１の反射光Ｌ２によって報知されたことを認識しやすくなる。そのため、顧客が紙幣Ｂをより一層取り出しやすくすることができる。
【００５３】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【００５４】
１      紙幣取扱装置
１０      出金部
１１      底部
１１ａ      切り欠き
１１ｂ      上面
１１ｂ−１      ガイド突起
１２，１３      側壁
１４      前壁
１４ａ      切り欠き
１５      カバー
１５ａ      切り欠き
１５ａ−１      後面
１５ａ−２，１５ａ−３      側面
１５ｂ，１５ｃ      アーム部
１５ｄ      上面
１６，１７      回動軸部
２０      入金部
２１      底面ガイド
２１ａ      ガイド面
２１ａ−１      点灯部
２１ａ−２      ガイド突起
２１ｂ      光照射部
２２，２３      側面ガイド
３０      枠部材
４０      ステージ
５０      出金搬送部
６０      取り込み搬送部
７０      ゲート
８０      押圧部
Ｂ      紙幣
Ｃ      硬貨
Ｆ      指
Ｌ１      照射光
Ｌ２      反射光
Ｍ１      トップモジュール
Ｍ２      取り込み兼リサイクルモジュール
Ｍ２ａ      取り込み収容部
Ｍ３      リサイクルモジュール
Ｍ４      リサイクルモジュール
Ｍ５      補充モジュール
Ｍ６      回収モジュール
Ｐ１      紙幣Ｂの入金位置
Ｐ２      紙幣Ｂの出金位置
【図１】
0006731117.tif 000002
【図２Ａ】
0006731117.tif 000003
【図２Ｂ】
0006731117.tif 000004
【図３Ａ】
0006731117.tif 000005
【図３Ｂ】
0006731117.tif 000006
【図４】
0006731117.tif 000007
【図５】
0006731117.tif 000008
【図６】
0006731117.tif 000009
【図７】
0006731117.tif 000010